(57)【特許請求の範囲】
【請求項１】
開口部の周縁部に設けられた支持手段と、
前記支持手段に軸支された回転体手段と、
前記開口部を開閉する開閉手段と、
前記回転体手段に連動して回転するように前記回転体手段の端部に設けられた入力スプロケット手段と、
前記入力スプロケット手段の設けられた側の前記支持手段に予め設けられた開閉機取付ベース手段と、
前記開閉機取付ベース手段に取り付けられ、互いに連動して回転する出力スプロケット手段及び第１のカップリング手段を備えた開閉機取付枠手段と、
前記出力スプロケット手段の回転力を前記入力スプロケット手段に伝達する無端輪状動力伝達手段と、
前記第１のカップリング手段に係合して回転する第２のカップリング手段を出力軸に備え、前記第２のカップリング手段が前記第１のカップリング手段に係合するように前記開閉機取付枠手段に取り付けられ、前記第１及び２のカップリング手段を介して前記出力スプロケット手段を回転駆動することによって前記回転体手段を回転させて前記開閉手段の開閉動作を制御する開閉機手段と
を備えたことを特徴とする開閉体装置。
【請求項２】
請求項１に記載の開閉体装置において、
前記開閉機取付ベース手段は、前記支持手段に固着されるベース部と、前記ベース部の両側にそれぞれ直角方向へ向けて一体折曲形成され、前記開閉機取付枠手段の一部が係合して取り付けられる係合孔を有する側片部と、前記側片部の先端から相対向方向に屈曲形成され、その先端部に切欠部を有する先端屈曲片部とを備えたことを特徴とする開閉体装置。
【請求項３】
請求項１に記載の開閉体装置において、
前記開閉機取付ベース手段は、凸形状鋼板の底辺部が前記支持手段に固着され、前記凸形状鋼板の上辺部にＵ字型の切欠き部を有し、このＵ字型の切欠き部に前記開閉機手段が取り付けられるように構成されたことを特徴とする開閉体装置。
【請求項４】
請求項１に記載の開閉体装置において、
前記開閉機取付ベース手段は、長尺形状のＬ字鋼によって形成され、その端部であるベース部が前記支持手段に固着されていることを特徴とする開閉体装置。
【請求項５】
請求項１、２、３又は４に記載の開閉体装置において、
前記出力スプロケット手段の位置を調整可能な位置調整手段を設けたことを特徴とする開閉体装置。
【請求項６】
開口部の周縁部に設けられた支持手段と、
前記支持手段に軸支された回転体手段と、
前記開口部を開閉する開閉手段と、
前記回転体手段に連動して回転するように前記回転体手段の端部に設けられた入力スプロケット手段と、
前記入力スプロケット手段の設けられた側の前記支持手段に予め設けられた開閉機取付ベース手段と、
第１の出力スプロケット手段を出力軸に備え、前記第１の出力スプロケット手段の回転力を無端輪状動力伝達手段を介して前記入力スプロケット手段に伝達するように前記開閉機取付ベース手段に取り付けられた第１の開閉機手段とを含んで構成される開閉体装置の開閉機交換方法において、
前記第１の開閉機手段に代えて、前記無端輪状動力伝達手段を介して前記入力スプロケット手段に回転力を伝達する前記第２の出力スプロケット手段に連動して回転する第１のカップリング手段を備えた開閉機取付枠手段と、
前記第１のカップリング手段に係合して回転する第２のカップリング手段を出力軸に備え、前記第２のカップリング手段が前記第１のカップリング手段に係合するように前記開閉機取付枠手段に取り付けられ、前記第１及び２のカップリング手段を介して前記出力スプロケット手段を回転駆動することによって前記回転体手段を回転させて前記開閉手段の開閉動作を制御する第２の開閉機手段と
を前記開閉機取付ベース手段に取り付けることを特徴とする開閉体装置の開閉機交換方法。
【請求項７】
請求項６に記載の開閉体装置の開閉機交換方法において、
前記開閉機取付ベース手段は、前記支持手段に固着されるベース部と、前記ベース部の両側にそれぞれ直角方向へ向けて一体折曲形成され、前記開閉機取付枠手段の一部が係合して取り付けられる係合孔を有する側片部と、前記側片部の先端から相対向方向に屈曲形成され、その先端部に切欠部を有する先端屈曲片部とを備えたことを特徴とする開閉体装置の開閉機交換方法。
【請求項８】
請求項６に記載の開閉体装置の開閉機交換方法において、
前記開閉機取付ベース手段は、凸形状鋼板の底辺部が前記支持手段に固着され、前記凸形状鋼板の上辺部にＵ字型の切欠き部を有し、このＵ字型の切欠き部に前記開閉機手段が取り付けられるように構成されたことを特徴とする開閉体装置の開閉機交換方法。
【請求項９】
請求項６に記載の開閉体装置の開閉機交換方法において、
前記開閉機取付ベース手段は、長尺形状のＬ字鋼によって形成され、その端部であるベース部が前記支持手段に固着されていることを特徴とする開閉体装置の開閉機交換方法。
【請求項１０】
請求項６、７、８又は９に記載の開閉体装置の開閉機交換方法において、
前記出力スプロケット手段の位置を調整可能な位置調整手段を設けたことを特徴とする開閉体装置の開閉機交換方法。
【請求項１１】
回転体手段に連動して回転する入力スプロケット手段に無端輪状動力伝達手段を介して回転力を伝達する出力スプロケット手段と、前記出力スプロケット手段に連動して回転し、開閉機手段の出力軸に設けられた第２のカップリング手段に係合するように構成された第１のカップリング手段とを備えたことを特徴とする開閉機取付装置。
【請求項１２】
請求項１１に記載の開閉機取付装置おいて、
前記入力スプロケット手段の設けられた側の支持手段に予め設けられた開閉機取付ベース手段に取り付けられ、前記出力スプロケット手段と前記第１のカップリング手段を備えたベース部と、
前記ベース部の両側に、それぞれ前記第１のカップリング手段側の直角方向に向けて一体折曲形成され、前記開閉機手段の取付枠の一部が係合して取り付けられる係合孔を有する側片部と、
前記側片部の先端から相対向方向に屈曲形成され、その先端部に切欠部を有する先端屈曲片部と
を備えたことを特徴とする開閉機取付装置。
【請求項１３】
請求項１１に記載の開閉機取付装置において、
長尺形状のＬ字鋼によって形成され、前記Ｌ字鋼の端部に形成された平面上のベース部に前記出力スプロケット手段と前記第１のカップリング手段を備えたことを特徴とする開閉機取付装置。
【発明の詳細な説明】
【技術分野】
【０００１】
本発明は、住宅、ビル、工場、倉庫などの建物を含む構築・構造物、地下街などの地下施設、車両などの開口部に設置されるシャッターカーテンなどの開閉手段の開閉動作が電動で制御される開閉体装置、その開閉機交換方法及び開閉機取付装置に関する。
【背景技術】
【０００２】
住宅、ビル、工場、倉庫、車庫などの建物を含む構築・構造物、地下街などの地下施設、車両などの開口部に設置される開閉体は、閉鎖方向へ移動することによってその開口部を閉鎖するものである。このような開閉体装置としては、例えば、シャッター装置、パネルシャッター装置、オーバーヘッドドア、ブラインド装置、オーニング装置、ロールスクリーン装置、門扉、引戸装置などが知られている。これらの開閉体装置は、多数の短冊状のスラット材からなるスラットカーテン、多数のパイプ材をリンク材などで連結させてなるパイプグリルカーテン、一枚状あるいは多数連結されたパネル材からなるパネルカーテン、ネット材からなるネットカーテン、合成樹脂あるいは布繊維製のシート材からなるシートカーテン、あるいはこれらの複合部材などからなる複合カーテンなどの開閉体が開口部周縁部（例えば天井部等）の収納スペースに設けられた支持手段である収納ケースのブラケットなどに軸支された電動で駆動される巻取シャフトなどの回転体に巻き取られたり、回転体の回転により送り移動されたりして収納されることによって開口部を開放し、逆に繰り出されることによって、開口部全体または一部を閉鎖するように構成されている。
【０００３】
図１は、回転体手段を正逆回転駆動することによって、開閉体を開閉動作させる開閉体装置の一例としてシャッター装置を示す図である。図２は、図１のシャッター装置を左側面から見た断面形状を示す図である。
【０００４】
図において、ガイドレール１，２はシャッターカーテン６によって開閉される開口部の両側左右に対向して起立配置されている。これらのガイドレール１，２は、対向する面側にそれぞれ縦長の開口を有する断面コの字状の部材から構成されている。ガイドレール１，２の上部にはボックス状の収納ケース３が設けられている。この収納ケース３内には、ギヤードモータからなる減速機付の開閉機４と、この開閉機４で正逆回転駆動される回転体手段である巻取シャフト５とが収納配置されている。従って、巻取シャフト５の正逆回転によりシャッターカーテン６の巻取り／巻戻し動作が行われ、これによって、シャッターカーテン６がガイドレール１，２に沿って昇降（開閉）駆動される。なお、開閉機にはブレーキ機能が具備されていたり、巻取シャフトには、開閉体が閉鎖するにしたがい付勢されるように設けられた付勢手段によって付勢力が付勢されていることがある。
【０００５】
図３は、開閉機を収納ケースに取り付けた場合の第１の構成例を示す図である。図４は、図３を右側から見た側面図である。回転体手段である巻取シャフトを回転自在に軸支する支持手段であって、収納ケース３の一側面部であるブラケット３ａには、開閉機取付ベース７が溶接などによって固着されている。この開閉機取付ベース７は、収納ケース３の一側面部であるブラケット３ａに溶接固定されるベース部７１と、このベース部７１の両側（図の上下方向）にそれぞれ直角方向へ向けて一体折曲形成された側片部７２，７３と、これらの側片部７２，７３の先端から相対向方向に屈曲する先端屈曲片部７４，７５とから形成されている。開閉機取付ベース７の側片部７２の先端側付近には係合孔７６が設けられている。また、先端屈曲片部７４，７５には図４に示すように切欠部７７，７８が設けられている。
【０００６】
開閉機取付枠８は、ベース部８０の両側（図の上下方向）に折曲片部８１，８２が一体形成された構成となっている。折曲片部８１，８２は、開閉機取付ベース７の切欠部７７，７８に対応する位置に形成してあり、一方の折曲片部８１は開閉機取付ベース７の側片部７２の先端側付近に設けられた係合孔７６に係合され、図示していないネジなどの締結具によってベース部８０が開閉機取付ベース７の先端屈曲片部７５に固定されている。
【０００７】
開閉機取付枠８のベース部８０の中央部には開閉機４の出力軸４０が軸受部材を介して回転自在に貫通させられ、この状態でベース部８０の外側（図の右側）に開閉機４が装着固定されている。開閉機４の出力軸４０の先端部には、出力スプロケット４１が取付けられており、この出力スプロケット４１と巻取シャフト５側の入力スプロケット５１との間に無端輪状動力伝達手段である伝導チェーン５２が噛合巻回されている。従って、開閉機４の回転出力は、出力スプロケット４１、伝導チェーン５２、入力スプロケット５１を介して巻取シャフト５に伝達されるようになっている。なお、図４では、この開閉機取付枠８及び開閉機４については図示を省略し、出力スプロケット４１、伝導チェーン５２及び入力スプロケット５１の関係のみを示してある。
【０００８】
図５は、開閉機を収納ケースに取り付ける場合の第２の構成例を示す図である。図３の構成例では、開閉機４の出力軸４０と出力スプロケット４１が結合されている場合について説明したが、図５では、開閉機４００の出力軸４０３と出力スプロケット４０１とが完全に分離され、出力スプロケット４０１は開閉機取付ベース７０１にスプロケット軸４０２を介して取り付けられ、開閉機４００は開閉機取付枠８０１を介して開閉機取付ベース７０１に取付けられており、開閉機４００の回転出力は、カップリング手段４０４，４０５によって伝達されるようになっている。
【０００９】
開閉機取付ベース７０１は、収納ケース３の一側面部であるブラケット３ａに溶接などによって固着されている。開閉機取付ベース７０１は、図３の開閉機取付ベース７と同じように、ベース部７０２と、このベース部７０２の両側（図面の上下方向）にそれぞれ直角方向へ向けて一体折曲形成された側片部７０３，７０４と、これらの側片部７０３，７０４の先端から相対向方向に屈曲する先端屈曲片部７０５，７０６とを備えている。側片部７０３の先端側付近には係合孔７０７が設けられている。先端屈曲片部７０５，７０６には、図４の開閉機取付ベース７と同様の切欠部が設けられている。
【００１０】
開閉機取付ベース７０１のベース部７０２のほぼ中央にスプロケット軸４０２が予め取付けられている。このスプロケット軸４０２には、出力スプロケット４０１が回転自在に取付けられている。この出力スプロケット４０１は、図示していないスナップリング（Ｃ形止め輪）などで抜け止めされている。出力スプロケット４０１の右側には、カップリング手段４０４が形成されている。出力スプロケット４０１が取付けられた開閉機取付ベース７０１のベース部７０２はブラケット３ａに溶接などによって固着されているので、スプロケット軸４０２は充分な支持強度を得ることができる。
【００１１】
開閉機取付枠８０１は、ベース部８０２の両側（図の上下方向）に設けられた折曲片部８０３，８０４を一体に形成した形状となっている。この折曲片部８０３，８０４は、開閉機取付ベース７０１の切欠部に対応する位置に形成してあり、一方の折曲片部８０３は開閉機取付ベース７０１の側片部７０３の先端側付近に設けられた係合孔７０７に係合され、図示していないネジなどの締結具によってベース部８０２が開閉機取付ベース７０１の先端屈曲片部７０６に固定されている。ベース部８０２のほぼ中央部に開閉機４００の出力軸４０３が軸受部材を介して回転自在に貫通させられ、この状態でベース部８０２の外側（図の右側）に開閉機４００が装着固定されている。
【００１２】
開閉機取付枠８０１に取付けられた開閉機４００の出力軸４０３には、カップリング手段４０４に対して軸方向へ摺動自在に外嵌め係合されたカップリング手段４０５が形成されている。この出力スプロケット４０１と巻取シャフト５側の入力スプロケット５１との間には、図４に示すものと同様に、伝導チェーン５２が噛合巻回されている。従って、開閉機４００の回転出力は、カップリング手段４０５、カップリング手段４０４、出力スプロケット４０１、伝導チェーン５２、入力スプロケット５１を介して巻取シャフト５に伝達されるようになっている。
【００１３】
図６は、開閉機を収納ケースに取り付ける場合の第３の構成例を示す図である。図７は、図６を右側から見た側面図である。開閉機取付ベース７１０は、長尺形状のＬ字鋼によって形成されており、その端部であるベース部７１１が収納ケース３の一側面部であるブラケット３ａに溶接などによって固着されている。開閉機４１０は、この開閉機取付ベース７１０のＬ字鋼のそれぞれの平面に密接するように一体的に装着固定されている。
【００１４】
開閉機４１０の出力軸４１１の先端部には、出力スプロケット４１２が取付けられており、この出力スプロケット４１２と巻取シャフト５側の入力スプロケット５１との間に伝導チェーン５２が噛合巻回されている。従って、開閉機４１０の回転出力は、出力スプロケット４１２、伝導チェーン５２、入力スプロケット５１を介して巻取シャフト５に伝達されるようになっている。なお、図７では、開閉機４１０の図示を省略し、出力スプロケット４１２、伝導チェーン５２及び入力スプロケット５１の関係のみを示してある。
【００１５】
図８は、開閉機を収納ケースに取り付ける場合の第４の構成例を示す図である。図６では、開閉機４１０の出力軸４１１と出力スプロケット４１２が結合されている場合について説明したが、図８では、開閉機４２０の出力軸４２１と出力スプロケット４２２とが完全に分離され、出力スプロケット４２２は開閉機取付ベース７２０のベース部７２１にスプロケット軸４２３を介して取り付けられ、開閉機４２０は開閉機取付ベース７２０に取付けられており、開閉機４２０の回転出力は、カップリング手段４２５，４２４によって伝達されるようになっている。 
【００１６】
開閉機取付ベース７２０は、図６と同様に、長尺形状のＬ字鋼によって形成されており、その端部であるベース部７２１が収納ケース３の一側面部であるブラケット３ａに溶接などによって固着されている。開閉機取付ベース７２０のベース部７２１のほぼ中央付近にスプロケット軸４２３が取付けられている。このスプロケット軸４２３には、出力スプロケット４２２が回転自在に取付けられている。この出力スプロケット４２２は、図示していないスナップリング（Ｃ形止め輪）などで抜け止めされている。出力スプロケット４２２が取付けられた開閉機取付ベース７２０のベース部７２１は、ブラケット３ａに溶接などによって固着されているので、スプロケット軸４２３は充分な支持強度を得ることができる。
【００１７】
出力スプロケット４２３の右側には、カップリング手段４２４が形成されている。開閉機取付ベース７２０に取付けられた開閉機４２０の出力軸４２１には、カップリング手段４２４に対して軸方向へ摺動自在に外嵌め係合されたカップリング手段４２５が形成されている。この出力スプロケット４２２と巻取シャフト５側の入力スプロケット５１との間には、図４に示すものと同様に、伝導チェーン５２が噛合巻回されている。従って、開閉機４２０の回転出力は、カップリング手段４２５、カップリング手段４２４、出力スプロケット４２２、伝導チェーン５２、入力スプロケット５１を介して巻取シャフト５に伝達されるようになっている。
上述のような従来技術としては、特許文献１，２に記載されたものが知られている。
【特許文献１】特開平５−３４０１７６号公報
【特許文献２】特開２００２−５４３６８号公報
【発明の開示】
【発明が解決しようとする課題】
【００１８】
図３及び図６に示すような従来のシャッター装置は、開閉機４，４１０の出力軸４０，４１１に出力スプロケット４１，４１２が直接一体的に装着されている。従って、開閉機４，４１０に故障等のトラブルが発生し、開閉機４，４１０を交換するときには、出力軸４０，４１１に出力スプロケット４１，４１２と同じ構成のものが装着された同じタイプの開閉機４，４１０と交換しなければならなかった。
また、図３及び図６に示すような従来のシャッター装置で採用している開閉機４，４１０は、巻取シャフト５によるシャッターカーテン６の巻取り荷重に応じた大きな張力が伝導チェーン５２を介して作用する。この大きな張力を開閉機４，４１０が直接受けるため、開閉機４，４１０自体が大きな張力に見合っただけの剛性を持ったものでなければならず、開閉機４，４１０自体の大型化と共にコスト高となっていた。
【００１９】
そこで、図５に示すように、開閉機４００の出力軸４０３と出力スプロケット４０１とを完全に分離し、出力スプロケット４０１を開閉機取付ベース７０１側に設け、開閉機４００を開閉機取付ベース８０１側にそれぞれ設けるようにしたものや、図８に示すように、開閉機４２０の出力軸４２１と出力スプロケット４２２とを完全に分離し、出力スプロケット４２２を開閉機取付ベース７２０のベース部７２１側に設け、開閉機４２０を開閉機取付ベース７２０の側面にそれぞれ設けるようにしたものが提案されている。図５又は図８のシャッター装置の場合は、開閉機４００，４２０に故障等のトラブルが発生した場合、カップリング手段４０４，４０５，４２４，４２５が互いに係合可能なものであれば、開閉機４００，４２０を交換するだけでよかった。
【００２０】
このように図５又は図８に示すように開閉機と出力スプロケットとを完全に分離したものの方が優れているので、開閉機と出力スプロケットとの関係は、図３又は図６に示すものから徐々に図５又は図８に示すものに移行しつつあり、実際のシャッター装置の現場では両者が共存する状態にあるが、図５又は図８の開閉機を図３又は図６の開閉機として利用することは困難であった。
【００２１】
また、図３又は図６に示す出力スプロケットの構成と図５又は図８に示すものとでは異なる場合が多い。すなわち、出力スプロケットの歯数が図３又は図６に示すものでは「２０」であり、図５又は図８に示すものでは「１５」と若干少なくなっている。従って、図３及び図６の開閉機４，４１０は、歯数が「２０」の出力スプロケットに対して減速機の減速比やその回転性能等を合わせてあるので、図５又は図８の開閉機４００，４２０を単純に図３又は図６の開閉機４，４１０と交換しただけでは、その回転を制御することは困難であった。
【００２２】
本発明は、上述の点に鑑みなされたものであり、開閉機と出力スプロケットとの関係が種々異なる場合でも、それらの性能等を考慮することなく開閉機の交換を容易に行なうことのできる開閉体装置、その開閉機交換方法及び開閉機取付装置を提供することを目的とする。
【課題を解決するための手段】
【００２３】
本発明の開閉体装置の第１の特徴は、開口部の周縁部に設けられた支持手段と、前記支持手段に軸支された回転体手段と、前記開口部を開閉する開閉手段と、前記回転体手段に連動して回転するように前記回転体手段の端部に設けられた入力スプロケット手段と、前記入力スプロケット手段の設けられた側の前記支持手段に予め設けられた開閉機取付ベース手段と、前記開閉機取付ベース手段に取り付けられ、互いに連動して回転する出力スプロケット手段及び第１のカップリング手段を備えた開閉機取付枠手段と、前記出力スプロケット手段の回転力を前記入力スプロケット手段に伝達する無端輪状動力伝達手段と、前記第１のカップリング手段に係合して回転する第２のカップリング手段を出力軸に備え、前記第２のカップリング手段が前記第１のカップリング手段に係合するように前記開閉機取付枠手段に取り付けられ、前記第１及び２のカップリング手段を介して前記出力スプロケット手段を回転駆動することによって前記回転体手段を回転させて前記開閉手段の開閉動作を制御する開閉機手段とを備えたことにある。
開閉手段は、ビル、住宅、工場、倉庫等の建物などの構築・構造物、地下街などの地下施設、車両などにおける、出入り口や窓部、あるいは内部の通路や空間などの開口部を仕切るために開口部周縁部から繰り出されたり、開放するために開口部周縁部の収納スペースに繰り入れられたりする。開口部周縁部に設けられた支持手段には、回転体手段が軸支されており、開閉体は回転体手段に巻き取られ巻き戻されたり、回転体の回転により送り移動されたりして開口部を開閉動作する。回転体手段は、各種シャッター装置のシャッターカーテンを巻き取り、繰り出す巻取シャフトや、オーニング装置やロールスクリーン装置や防煙垂れ幕装置のスクリーンなどを巻き取り、繰り出すための巻取シャフトや、二軸式シャッター装置のシャッターカーテンをガイドし、回転駆動しながら巻取シャフトに導く巻取り補助シャフトや、オーバーヘッドドアのドアを吊り上げるためのワイヤー等を巻き取り、繰り出す巻取シャフトや、パネルシャッターのパネルを吊り上げ、収納部へ導くチェーンを引き込み、送り出す複数のスプロケットを同期して回転駆動させるために回転駆動する駆動シャフトなどを含むものである。回転体手段の少なくとも一端部には、これと連動して回転するように入力スプロケット手段が設けられている。この入力スプロケット手段は、回転体手段の少なくとも一端部に存在していればよく、両端部に存在してもよい。入力スプロケット手段が回転体手段の両端部にそれぞれ存在する場合には、開閉機取付ベース手段は、どちらか一方側に設けられていてもよいし、両方側にそれぞれ設けられていてもよい。なお、開閉体装置は、通常構築・構造物などの開口部の上部に収納され、上昇・下降方式で開閉動作するが、これ以外にも開閉手段が開口部の側部に収納され横移動方式で開閉移動したり、開口部の下部に収納され下降・上昇方式で開閉移動したりするものもある。
従来は、出力軸に出力スプロケット手段を備えた開閉機手段を、入力スプロケット手段の設けられた側の支持手段に設けられた開閉機取付ベース手段に取り付け、出力スプロケット手段と入力スプロケット手段とを無端輪状動力伝達手段で接続し、開閉機手段の回転力を出力スプロケット手段、無端輪状動力伝達手段、入力スプロケット手段を介して回転体手段に伝達していた。このような構成の開閉体装置において、開閉機手段を交換する場合、交換前の出力スプロケット手段と同じものを備えた開閉機手段でないと交換することは困難であった。そこで、この発明では、収納ケースに予め設けられた開閉機取付ベース手段に、互いに連動して回転する出力スプロケット手段と第１のカップリング手段とを備えた開閉機取付枠手段を取り付け、第１のカップリング手段に係合するような第２のカップリング手段を出力軸に備えた開閉機手段を開閉機取付枠手段に取り付け、開閉機手段の回転力を第１及び２のカップリング手段、出力スプロケット手段、無端輪状動力伝達手段、入力スプロケット手段を介して回転体手段に伝達し、その回転を制御するようにした。ここで、互いに連動して回転するとは、同じ方向に回転することであってもよいし、違う方向に回転することであってもよいことを意味する。このときの回転軸の向きは同じでも異なっていてもよい。また、第１のカップリング手段に係合するような第２のカップリング手段とは、両者が直接係合するような場合と、第２のカップリング手段にも第１のカップリング手段にもそれぞれ係合するようなアダプタなどを介して間接的に係合するような場合の両方を含むものである。
【００２４】
本発明の開閉体装置の第２の特徴は、前記第１の特徴に記載の開閉体装置において、前記開閉機取付ベース手段が、前記支持手段に固着されるベース部と、前記ベース部の両側にそれぞれ直角方向へ向けて一体折曲形成され、前記開閉機取付枠手段の一部が係合して取り付けられる係合孔を有する側片部と、前記側片部の先端から相対向方向に屈曲形成され、その先端部に切欠部を有する先端屈曲片部とを備えたことにある。
これは、図３及び図４に例示するような形状の開閉機取付ベース手段に、互いに連動して回転する出力スプロケット手段と第１のカップリング手段とを備えた開閉機取付枠手段を取り付けるようにしたものである。
【００２５】
本発明の開閉体装置の第３の特徴が、前記第１の特徴に記載の開閉体装置において、前記開閉機取付ベース手段は、凸形状鋼板の底辺部が前記支持手段に固着され、前記凸形状鋼板の上辺部にＵ字型の切欠き部を有し、このＵ字型の切欠き部に前記開閉機手段が取り付けられるように構成されたことにある。
これは、図１７に例示するような形状の開閉機取付ベース手段に、互いに連動して回転する出力スプロケット手段と第１のカップリング手段とを備えた開閉機取付枠手段を取り付けるようにしたものである。
【００２６】
本発明の開閉体装置の第４の特徴は、前記第１の特徴に記載の開閉体装置において、前記開閉機取付ベース手段が、長尺形状のＬ字鋼によって形成され、その端部であるベース部が前記支持手段に固着されていることにある。
これは、図６及び図７に例示するような形状の開閉機取付ベース手段に、互いに連動して回転する出力スプロケット手段と第１のカップリング手段とを備えた開閉機取付枠手段を取り付けるようにしたものである。
【００２７】
本発明の開閉体装置の第５の特徴は、前記第１、２、３又は４の特徴に記載の開閉体装置において、前記出力スプロケット手段の位置を調整可能な位置調整手段を設けたことにある。
これは、開閉機手段を交換した場合、その交換の前後で出力スプロケット手段の位置が変化することがあるので、位置調整手段を設けて出力スプロケット手段の位置を調整可能としたものである。
【００２８】
本発明の開閉体装置の開閉機交換方法の第１の特徴は、開口部の周縁部に設けられた支持手段と、前記支持手段に軸支された回転体手段と、前記開口部を開閉する開閉手段と、前記回転体手段に連動して回転するように前記回転体手段の端部に設けられた入力スプロケット手段と、前記入力スプロケット手段の設けられた側の前記支持手段に予め設けられた開閉機取付ベース手段と、第１の出力スプロケット手段を出力軸に備え、前記第１の出力スプロケット手段の回転力を無端輪状動力伝達手段を介して前記入力スプロケット手段に伝達するように前記開閉機取付ベース手段に取り付けられた第１の開閉機手段とを含んで構成される開閉体装置の開閉機交換方法において、前記第１の開閉機手段に代えて、前記無端輪状動力伝達手段を介して前記入力スプロケット手段に回転力を伝達する前記第２の出力スプロケット手段に連動して回転する第１のカップリング手段を備えた開閉機取付枠手段と、前記第１のカップリング手段に係合して回転する第２のカップリング手段を出力軸に備え、前記第２のカップリング手段が前記第１のカップリング手段に係合するように前記開閉機取付枠手段に取り付けられ、前記第１及び２のカップリング手段を介して前記出力スプロケット手段を回転駆動することによって前記回転体手段を回転させて前記開閉手段の開閉動作を制御する第２の開閉機手段とを前記開閉機取付ベース手段に取り付けることにある。
これは、出力軸に出力スプロケット手段を備えた第１の開閉機手段が、入力スプロケット手段の設けられた側の支持手段に設けられた開閉機取付ベース手段に取り付けられている場合に、この第１の開閉機手段を別のタイプの第２の開閉機手段に取り替える方法に関するものである。この場合、互いに連動して回転する出力スプロケット手段と第１のカップリング手段とを備えた開閉機取付枠手段を開閉機取付ベース手段に取り付け、第１のカップリング手段に係合するような第２のカップリング手段を出力軸に備えた第２の開閉機手段を開閉機取付枠手段に取り付け、第２の開閉機手段の回転力を第１及び２のカップリング手段、出力スプロケット手段、無端輪状動力伝達手段、入力スプロケット手段を介して回転体手段に伝達し、その回転を制御するようにした。回転体手段の少なくとも一端部には、これと連動して回転するように入力スプロケット手段が設けられている。この入力スプロケット手段は、回転体手段の少なくとも一端部に存在していればよく、両端部に存在してもよい。入力スプロケット手段が回転体手段の両端部にそれぞれ存在する場合には、開閉機取付ベース手段は、どちらか一方側に設けられていてもよいし、両方側にそれぞれ設けられていてもよい。ここで、互いに連動して回転するとは、同じ方向に回転することであってもよいし、違う方向に回転することであってもよいことを意味する。このとき、回転軸の向きは同じでも異なっていてもよい。また、第１のカップリング手段に係合するような第２のカップリング手段とは、両者が直接係合するような場合と、第２のカップリング手段にも第１のカップリング手段にもそれぞれ係合するようなアダプタなどを介して間接的に係合するような場合の両方を含むものである。ここで、回転体手段は、各種シャッター装置のシャッターカーテンを巻き取り、繰り出す巻取シャフトや、オーニング装置やロールスクリーン装置や防煙垂れ幕装置のスクリーンなどを巻き取り、繰り出すための巻取シャフトや、二軸式シャッター装置のシャッターカーテンをガイドし、回転駆動しながら巻取シャフトに導く巻取り補助シャフトや、オーバーヘッドドアのドアを吊り上げるためのワイヤー等を巻き取り、繰り出す巻取シャフトや、パネルシャッターのパネルを吊り上げ、収納部へ導くチェーンを引き込み、送り出す複数のスプロケットを同期して回転駆動させるために回転駆動する駆動シャフトなどを含むものである。
【００２９】
本発明の開閉体装置の開閉機交換方法の第２の特徴は、前記第１の特徴に記載の開閉体装置の開閉機交換方法において、前記開閉機取付ベース手段が、前記支持手段に固着されるベース部と、前記ベース部の両側にそれぞれ直角方向へ向けて一体折曲形成され、前記開閉機取付枠手段の一部が係合して取り付けられる係合孔を有する側片部と、前記側片部の先端から相対向方向に屈曲形成され、その先端部に切欠部を有する先端屈曲片部とを備えたことにある。
これは、図３及び図４に例示するような形状の開閉機取付ベース手段に、互いに連動して回転する出力スプロケット手段と第１のカップリング手段とを備えた開閉機取付枠手段及び第２の開閉機手段を取り付けるようにしたものである。
【００３０】
本発明の開閉体装置の開閉機交換方法の第３の特徴は、前記第１の特徴に記載の開閉体装置の開閉機交換方法において、前記開閉機取付ベース手段が、凸形状鋼板の底辺部が前記支持手段に固着され、前記凸形状鋼板の上辺部にＵ字型の切欠き部を有し、このＵ字型の切欠き部に前記開閉機手段が取り付けられるように構成されたことにある。
これは、図１７に例示するような形状の開閉機取付ベース手段に、互いに連動して回転する出力スプロケット手段と第１のカップリング手段とを備えた開閉機取付枠手段及び第２の開閉機手段を取り付けるようにしたものである。
【００３１】
本発明の開閉体装置の開閉機交換方法の第４の特徴は、前記第１の特徴に記載の開閉体装置の開閉機交換方法において、前記開閉機取付ベース手段が、長尺形状のＬ字鋼によって形成され、その端部であるベース部が前記支持手段に固着されていることにある。
これは、図６及び図７に例示するような形状の開閉機取付ベース手段に、互いに連動して回転する出力スプロケット手段と第１のカップリング手段とを備えた開閉機取付枠手段及び第２の開閉機手段を取り付けるようにしたものである。
【００３２】
本発明の開閉体装置の開閉機交換方法の第５の特徴は、前記第１、２、３又は４の特徴に記載の開閉体装置の開閉機交換方法において、前記出力スプロケット手段の位置を調整可能な位置調整手段を設けたことにある。
これは、開閉機手段を交換した場合、その交換の前後で出力スプロケット手段の位置が変化することがあるので、位置調整手段を設けて出力スプロケット手段の位置を調整可能としたものである。
【００３３】
本発明の開閉機取付装置の第１の特徴は、回転体手段に連動して回転する入力スプロケット手段に無端輪状動力伝達手段を介して回転力を伝達する出力スプロケット手段と、前記出力スプロケット手段に連動して回転し、開閉機手段の出力軸に設けられた第２のカップリング手段に係合するように構成された第１のカップリング手段とを備えたことにある。
これは、出力軸に出力スプロケット手段を備えた開閉機手段が開閉機取付ベース手段に取り付けられている場合に、この開閉機手段をカップリング手段を備えた開閉機手段に取り替え可能にするものである。ここで、連動して回転するとは、同じ方向に回転することであってもよいし、違う方向に回転することであってもよいことを意味する。このとき、回転軸の向きは同じでも異なっていてもよい。また、第２のカップリング手段に係合するように構成された第１のカップリング手段とは、両者が直接係合するような場合と、第２のカップリング手段にも第１のカップリング手段にもそれぞれ係合するようなアダプタなどを介して間接的に係合するような場合の両方を含むものである。ここで、回転体手段は、各種シャッター装置のシャッターカーテンを巻き取り、繰り出す巻取シャフトや、オーニング装置やロールスクリーン装置や防煙垂れ幕装置のスクリーンなどを巻き取り、繰り出すための巻取シャフトや、二軸式シャッター装置のシャッターカーテンをガイドし、回転駆動しながら巻取シャフトに導く巻取り補助シャフトや、オーバーヘッドドアのドアを吊り上げるためのワイヤー等を巻き取り、繰り出す巻取シャフトや、パネルシャッターのパネルを吊り上げ、収納部へ導くチェーンを引き込み、送り出す複数のスプロケットを同期して回転駆動させるために回転駆動する駆動シャフトなどを含むものである。
【００３４】
本発明の開閉機取付装置の第２の特徴は、前記第１の特徴に記載の開閉機取付装置おいて、前記入力スプロケット手段の設けられた側の支持手段に予め設けられた開閉機取付ベース手段に取り付けられ、前記出力スプロケット手段と前記第１のカップリング手段を備えたベース部と、前記ベース部の両側に、それぞれ前記第１のカップリング手段側の直角方向に向けて一体折曲形成され、前記開閉機手段の取付枠の一部が係合して取り付けられる係合孔を有する側片部と、前記側片部の先端から相対向方向に屈曲形成され、その先端部に切欠部を有する先端屈曲片部とを備えたことにある。
これは、開閉機取付装置を図３及び図４に例示するような形状の開閉機取付ベース手段と互換性を有するようにするために、その基本的な形状を例えば図３及び図４の開閉機取付ベース手段と同じになるようにしたものである。
【００３５】
本発明の開閉機取付装置の第３の特徴は、前記第１の特徴に記載の開閉機取付装置において、長尺形状のＬ字鋼によって形成され、前記Ｌ字鋼の端部に形成された平面上のベース部に前記出力スプロケット手段と前記第１のカップリング手段を備えたことにある。
これは、開閉機取付装置を図６及び図７に例示するような形状の開閉機取付ベース手段と互換性を有するようにするために、その基本的な形状を例えば図６及び図７の開閉機取付ベース手段と同じになるようにしたものである。
【発明の効果】
【００３６】
本発明によれば、開閉機と出力スプロケットとの関係が種々異なる場合でも、それらの性能等を考慮することなく開閉機の交換を容易に行なうことができるという効果がある。
【発明を実施するための最良の形態】
【００３７】
以下、添付図面に従って本発明に係る開閉体装置の一実施の形態に係るシャッター装置について説明する。図９は、本発明に係るシャッター装置において、回転体支持手段を兼ねる収納ケースに取り付けられた開閉機の第１の実施例を示す図である。図９は、図３に対応した図であり、回転体手段である巻取シャフト５を回転自在に軸支する支持手段であって収納ケース３の一側面部であるブラケット３ａに、従来の開閉機取付ベース７が溶接などによって固着されており、この従来の開閉機取付ベース７を利用して、図５の開閉機を取付可能としたものである。この実施例では、開閉機取付ベース７に、取付調整板９１を介して開閉機取付枠９が取り付けられ、さらに、この開閉機取付枠９に開閉機９００の取り付けられた開閉機取付台９０６が取り付けられている。
【００３８】
開閉機取付ベース７は、収納ケース３の一側面部であるブラケット３ａに溶接固定されるベース部７１と、このベース部７１の両側（図の上下方向）にそれぞれ直角方向へ向けて一体折曲形成された側片部７２，７３と、これらの側片部７２，７３の先端から相対向方向に屈曲する先端屈曲片部７４，７５とから形成されている。開閉機取付ベース７の側片部７２の先端側付近には係合孔７６が設けられており、また、先端屈曲片部７４，７５には図４に示すように切欠部７７，７８が設けられているが、この実施例ではこれらの切欠部７７，７８は使用しない。 
【００３９】
開閉機取付枠９は、開閉機取付ベース７に取り付られるものであるが、開閉機取付ベース７の形状には種々のものがあるので、巻取シャフト５の端部に設けられた入力スプロケット５１と出力スプロケット９０３との軸方向における位置関係が適切となるように、必要に応じて開閉機取付ベース７と開閉機取付枠９との間に適当な厚さの取付調整板９１が設けられる。図１０は、取付調整板９１の構成を示す図であり、図１０（Ａ）は、図９に対応した図であり、図１０（Ｂ）は図１０（Ａ）の取付調整板９１を右側から見た図である。取付調整板９１は、図１０（Ｂ）に示す通り、コの字型をしている。取付調整板９１は、開閉機取付ベース７の先端屈曲部７４，７５に設けられている４個のネジ穴に対応した４個のネジ穴９１１〜９１４と、開閉機取付枠９のネジ穴に対応したネジ穴９１５〜９１８を備えている。
【００４０】
図１１は、開閉機取付ベース７に取付調整板９１がネジ止めされた状態を示す図である。図１１では、開閉機取付ベース７を一点鎖線で示し、取付調整板９１を実線で示してある。図１１に示すように、取付調整板９１は、それぞれのネジ穴９１１〜９１４を介して皿ネジ１１１〜１１４によって開閉機取付ベース７にネジ止め係合されている。取付調整板９１のネジ穴９１１〜９１４は、図１０に示すように左側に凹んだ形状をしている。これは、皿ネジ１１１〜１１４が取り付けられた状態で、図１０（Ａ）に示すように取付調整板９１の右端の平面部から皿ネジ１１１〜１１４が突出しないようにするためである。
【００４１】
図１２は、開閉機取付枠９の詳細構成を示す図であり、図１２（Ａ）は、図９の開閉機取付枠９に対応した図であり、図１２（Ｂ）は、図１２（Ａ）の開閉機取付枠９を右側から見た図であり、図１２（Ｃ）は、図１２（Ａ）の開閉機取付枠９を左側から見た図であり、図１２（Ｄ）は、図１２（Ｂ）の開閉機取付枠９を上側から見た図である。図１２に示すように、開閉機取付枠９は、取付調整板９１にネジなどの締結具によって固定されるベース部９２と、このベース部９２の両側（図の上下方向）にそれぞれ直角方向へ向けて一体折曲形成された側片部９３，９４と、これらの側片部９３，９４の先端から相対向方向に屈曲する先端屈曲片部９５，９６とから形成されている。開閉機取付枠９の側片部９３の先端側付近には係合孔９７が設けられている。また、先端屈曲片部９５，９６には図１２に示すように切欠部９８，９９が設けられている。開閉機取付枠９は、取付調整板９１の４個のネジ穴９１５〜９１８に対応した４個のネジ穴９２１〜９２４を備えている。なお、開閉機取付枠９を取付調整板９１にネジなどの締結具によって固定する場合には、これらの４個のネジ穴のうち、全てのネジ穴が使用されてもよいが、通常は、死角となって工具が届きにくいネジ穴を除いた２〜３個のネジ穴が使用される。開閉機取付枠９の四隅には、さらに４個のネジ穴９２８〜９３１を備えているが、これは図４及び図９に示した開閉機取付ベース７とは異なる形状のベースに適合させるためのものである。
【００４２】
図１３は、開閉機取付枠にカップリング手段、出力スプロケット、回転軸及び軸受手段が取り付けられた状態を示す図であり、図１３（Ａ）は、図９に対応した図であり、図１３（Ｂ）は、図１３（Ａ）の開閉機取付枠９を右側から見た図である。開閉機取付枠９には、開閉機９００の出力軸に取り付けられたカップリング手段９０１によって外嵌め係合されるカップリング手段９０２と、このカップリング手段９０２の軸に結合された出力スプロケット９０３と、カップリング手段９０２と出力スプロケット９０３を結合する回転軸９０４と、この回転軸を支持する軸受手段９０５とがそれぞれ取り付けられている。
【００４３】
開閉機取付枠９のベース部９２のほぼ中央に設けられた開口部９２０を回転軸９０４が貫通するように、軸受手段９０５が取り付けられる。この軸受手段９０５に軸支される回転軸９０４の両端にカップリング手段９０２と出力スプロケット９０３が取付けられる。軸受手段９０５は、開閉機取付枠９のベース部９２のネジ穴９２５〜９２７を介して皿ネジ１３１〜１３３によってネジなどの締結具によって固定される。回転軸９０４の一端には、出力スプロケット９０３が、他端にはカップリング手段９０２が取付けられている。この出力スプロケット９０３及びカップリング手段９０２は、回転軸９０４を介して結合されており、スナップリング（Ｃ形止め輪）などで抜け止めされている。
【００４４】
図１４は、取付調整板９１に開閉機取付枠９がネジ止めされた状態を示す図である。図１４では、開閉機取付ベース７は一点鎖線で示し、取付調整板９１を点線で示し、開閉機取付枠９を実線で示してある。図１４に示すように、開閉機取付枠９は、それぞれのネジ穴９２１，９２３，９２４を介して皿ネジ１４１〜１４３によって取付調整板９１に係合される。図では、ネジ穴９２１，９２２，９２３については、皿ネジ１４１〜１４３の符号の後に括弧付で表示してある。取付調整板９１に開閉機取付枠９を係合する場合、ネジ穴９２１〜９２４の中の少なくとも２箇所を用いればよい。例えば、ネジ穴９２１，９２４の２箇所、ネジ穴９２１〜９２４の４箇所、図１４に示すように、ネジ穴９２１，９２３，９２４の３箇所を用いてもよい。
【００４５】
なお、この実施例では、取付調整板９１に開閉機取付枠９を係合する場合に、ネジ穴９２１，９２３、又はネジ穴９２２，９２４を用いることによって、出力スプロケット９０３の位置を調整することができるようになっている。すなわち、ネジ穴９２２，９２３は、図示のように長円形状をしており、ネジ穴９２１に皿ネジ１４１を係合した場合、このネジ穴９２１を回転中心として開閉機取付枠９を長円形状のネジ穴９２３に沿って回転移動することができるようになっている。同様に、ネジ穴９２４に皿ネジ１４３を係合した場合、ネジ穴９２４を回転中心として開閉機取付枠９を長円形状のネジ穴９２２に沿って回転移動することができるようになっている。これによって、開閉機を交換して、出力スプロケット９０３と巻取シャフト５との距離が変化した場合でも、出力スプロケット９０３の回転軸の位置を微調整することができる。
【００４６】
図９において、開閉機取付台９０６は、両側（図の上下方向）に設けられた折曲片部９０７，９０８を一体に形成した形状となっており、折曲片部９０７，９０８は開閉機取付枠９の切欠部９８，９９に対応する位置に形成してある。開閉機取付台９０６は、開閉機取付枠９の先端屈曲片部９６にネジ９１０などの締結具によって固定される。開閉機９００は、この開閉機取付台９０６にボルト９０９などの締結具によって固定される。開閉機９００の出力軸には、カップリング手段９０２に対して軸方向へ摺動自在に外嵌め係合されたカップリング手段９０１が形成されている。従って、開閉機９００の回転出力は、カップリング手段９０１、カップリング手段９０２、回転軸９０４、出力スプロケット９０３、伝導チェーン（無端輪状動力伝達手段）、入力スプロケットを介して回転体手段である巻取シャフトに伝達されるようになっている。
【００４７】
図１５は、本発明に係るシャッター装置において、収納ケースに取り付けられた開閉機の第２の実施例を示す図であり、図１５（Ａ）は、図６に対応したものであり、図１５（Ｂ）は図１５（Ａ）を右側から見た図である。図１５の実施例は、収納ケースの一側面部であるブラケット３ａに、従来のＬ字鋼によって形成された開閉機取付ベース７１０が溶接などによって固着されている。第２の実施例では、この従来の開閉機取付ベース７１０を利用して、図８の開閉機４２０を取付可能としたものである。図１５の実施例では、開閉機取付ベース７１０に、開閉機取付枠１５０が取り付けられ、この開閉機取付枠１５０に開閉機４２０が取り付けられている。なお、図１５では、開閉機４２０は点線で示してある。
【００４８】
開閉機取付ベース７１０は、長尺形状のＬ字鋼によって形成されており、その端部であるベース部７１１が収納ケース３の一側面部であるブラケット３ａに溶接などによって固着されている。開閉機取付枠１５０は、この開閉機取付ベース７１０のＬ字鋼のそれぞれの平面に密接するように構成されたＬ字鋼部材１５１と、このＬ字鋼部材１５１の端部が開閉機取付ベース７１０のＬ字鋼のそれぞれの平面に対して直角の方向へ一体折曲形成された側片部１５２と、この側片部１５２の上端部、左斜上端部、左斜下端部からＬ字鋼部材１５１に平行な方向に屈曲するように形成された先端屈曲片部１５３〜１５４とを備えている。開閉機取付枠１５０は、ボルト７１２，７１３、ナット７１４，７１５などの締結具によって開閉機取付ベース７１０に固定されている。なお、開閉機取付ベース７１０と開閉機取付枠１５０との間に、それぞれ薄い調整板を設けることによって、開閉機を交換して、出力スプロケット１５７と巻取シャフトとの距離が変化した場合でも、出力スプロケット１５７の回転軸位置を微調整することができる。
【００４９】
図１６は、図１５の開閉機取付枠１５０の詳細構成を示す図であり、図１６（Ａ）は図１５（Ａ）に対応したものであり、図１６（Ｂ）は図１６（Ａ）を右側から見た図である。すなわち、図１６は、図１５から収納ケース３、開閉機取付ベース７１０及び開閉機４２０を省略して示したものである。図９の実施例では、開閉機取付枠９にカップリング手段９０２、出力スプロケット９０３、回転軸９０４及び軸受手段９０５の取り付けられたものを用いているが、図１５の実施例でも、これと同じように、開閉機取付枠１５０にカップリング手段１５６、出力スプロケット１５７、回転軸１５８及び軸受手段１５９が取り付けられたものを用いる。
【００５０】
軸受手段１５９は、開閉機取付枠１５０の側片部１５２に設けられた開口部を回転軸１５８が貫通するように、皿ネジなどの締結具によって固定的に取り付けられる。この軸受手段１５９に軸支される回転軸１５８の一端には、出力スプロケット１５７が、他端にはカップリング手段１５６が取付けられている。この出力スプロケット１５７及びカップリング手段１５６は、回転軸１５８を介して結合されており、スナップリング（Ｃ形止め輪）などで抜け止めされている。
【００５１】
図１５に示すように、開閉機取付枠１５０に取付けられた開閉機４２０の出力軸４２１には、カップリング手段１５６に対して軸方向へ摺動自在に外嵌め係合されたカップリング手段４２５が形成されている。この出力スプロケット１５７と巻取シャフト側の入力スプロケットとの間には、図４に示すものと同様に、伝導チェーンが噛合巻回されている。従って、開閉機４２０の回転出力は、カップリング手段４２５、カップリング手段１５６、回転軸１５８、出力スプロケット１５７、伝導チェーン、入力スプロケットを介して巻取シャフトに伝達されるようになっている。
【００５２】
図１７は、収納ケース３の一側面部であるブラケット３ａに固着されている開閉機取付ベースの別の例を示す図である。上述の説明では、開閉機取付ベースとして、図３及び図４に示す開閉機取付ベース７や図６及び図７に示す開閉機取付ベース７１０を例に説明したが、図１７に示すように凸形状の鋼板の底辺部が収納ケース３の一側面部であるブラケット３ａに溶接などによって固着されており、凸形状の上辺部に図示のようなＵ字型の切欠き部を有し、このＵ字型の切欠き部に開閉機を取り付けるタイプのものについても同様に適用可能である。このタイプの開閉機取付ベース１７０には、その四隅に４個のネジ穴１７１〜１７４が形成されている。図１２に示した開閉機取付枠９の四隅の４個のネジ穴９２８〜９３１は、この開閉機取付ベース１７０の４個のネジ穴１７１〜１７４に対応して形成されているので、図９に示すように開閉機取付枠９及び開閉機９００を取り付けることが可能である。なお、開閉機取付ベース１７０と開閉機取付枠９との間に、図１０に示すような出力スプロケット手段の回転軸の位置を調整可能な調整板を設けるようにしてもよい。
【００５３】
上述の実施の形態では、開閉体であるシャッターカーテンが下降しながら繰り出されて閉鎖するシャッター装置を例に説明したが、これ以外にも開閉体が横移動方式で繰り出されたり、上昇方式で繰り出されたり、あるいは水平方式、斜め方式で繰り出されたりするもの等であっても同様に適用することができる。開閉体装置としては、例えば、ブラインド装置、ロールスクリーン装置、垂れ幕装置などがある。開閉手段である開閉体としては、多数の短冊状のスラット材からなるスラットカーテン、多数のパイプ材をリンク材などで連結させてなるパイプグリルカーテン、一枚状あるいは多数連結されたパネル材からなるパネルカーテン、ネット材からなるネットカーテン、合成樹脂あるいは布繊維製のシート材からなるシートカーテン、あるいはこれらの複合部材などからなる複合カーテンなどで構成される場合がある。また、開閉手段である開閉体の材質は、使用目的に応じたものであれば、どのようなものでもよい。具体的には、金属製、木製、プラスチック製、布製、ガラス製、鉱物製、これらの複合されたものなどで構成することができる。
上述の実施の形態における開閉機をブレーキ装置や調速装置で置き換えて実施しても、本発明を同様に適用することできる。
【図面の簡単な説明】
【００５４】
【図１】回転体手段を正逆回転駆動することによって開閉体を開閉動作させる開閉体装置の一例としてシャッター装置を示す図
【図２】図１のシャッター装置を左側面から見た断面形状を示す図
【図３】開閉機を収納ケースに取り付けた場合の第１の構成例を示す図
【図４】図３を右側から見た側面図
【図５】開閉機を収納ケースに取り付ける場合の第２の構成例を示す図
【図６】開閉機を収納ケースに取り付ける場合の第３の構成例を示す図
【図７】図６を右側から見た側面図
【図８】開閉機を収納ケースに取り付ける場合の第４の構成例を示す図
【図９】本発明に係るシャッター装置において、収納ケースに取り付けられた開閉機の第１の実施例を示す図
【図１０】図９の取付調整板の構成を示す図
【図１１】図９の開閉機取付ベースに取付調整板がネジ止めされた状態を示す図
【図１２】図９の開閉機取付枠の詳細構成を示す図
【図１３】開閉機取付枠にカップリング手段、出力スプロケット、回転軸及び軸受手段が取り付けられた状態を示す図
【図１４】取付調整板に開閉機取付枠がネジ止めされた状態を示す図
【図１５】本発明に係るシャッター装置において、収納ケースに取り付けられた開閉機の第２の実施例を示す図
【図１６】図１５の開閉機取付枠の詳細構成を示す図
【図１７】収納ケースの一側面部であるブラケットに固着されている開閉機取付ベースの別の例を示す図
【符号の説明】
【００５５】
１，２…ガイドレール
３…収納ケース
４，４００，４１０，４２０，９００…開閉機
４０，４０３，４１１，４２１…出力軸
５…巻取シャフト
６…シャッターカーテン
３ａ…ブラケット
７，７０１，７１０，７２０，１７０…開閉機取付ベース
７１，７０２，７０３，７０４…ベース部
７２，７３，９３，９４，１５２…側片部
７４，７５，７０５，７０６，９５，９６，１５３〜１５４…先端屈曲片部
７６，７０７，９７…係合孔
７７，７８，９８，９９…切欠部
８，８０１，９，１５０…開閉機取付枠
８０，７１１，７２１，８０２，９２…ベース部
８１，８２，８０３，８０４，９０７，９０８…折曲片部
４，４０１，４１２，４２２，９０３，１５７…出力スプロケット
５１…入力スプロケット
５２…伝導チェーン
４０２，４２３…スプロケット軸
４０４，４０５，４２４，４２５，９０１，９０２，１５６…カップリング手段
７１２，７１３…ボルト
７１４，７１５…ナット
９１…取付調整板
９０６…開閉機取付台
９１１〜９１４，９１５〜９１８，９２８〜９３１…ネジ穴
９２１〜９２４，９２５〜９３１，１７１〜１７４…ネジ穴
１１１〜１１４，１３１〜１３３，１４１〜１４３…皿ネジ
９０４，１５８…回転軸
９０５，１５９…軸受手段
９０６…開閉機取付台
９１０…ネジ
９２０…開口部
１５１…Ｌ字鋼部材
【図１】
0004799075.tif 000002
【図２】
0004799075.tif 000003
【図３】
0004799075.tif 000004
【図４】
0004799075.tif 000005
【図５】
0004799075.tif 000006
【図６】
0004799075.tif 000007
【図７】
0004799075.tif 000008
【図８】
0004799075.tif 000009
【図９】
0004799075.tif 000010
【図１０】
0004799075.tif 000011
【図１１】
0004799075.tif 000012
【図１２】
0004799075.tif 000013
【図１３】
0004799075.tif 000014
【図１４】
0004799075.tif 000015
【図１５】
0004799075.tif 000016
【図１６】
0004799075.tif 000017
【図１７】
0004799075.tif 000018